(57)【要約】  本発明の実施例はパイロット信号伝送方法、端末装置とネットワーク側装置を提供する。前記パイロット信号伝送方法は端末装置が複数のパイロットパターンにおいて、第一のパイロットパターンを確定することと、該端末装置が該第一のパイロットパターンに基づき、該パイロット信号を伝送するための時間周波数リソースを確定することと、該端末装置が該時間周波数リソースで該パイロット信号を送信又は受信することとを含む。本発明の実施例によるパイロット信号伝送方法、端末装置とネットワーク側装置では、パイロット密度と物理リソースを柔軟に調整し、それによってパイロットオーバーヘッドを削減することができる。
2019527968.tif 000002
【特許請求の範囲】
【請求項１】
パイロット信号伝送方法であって、
端末装置が複数のパイロットパターンにおいて、第一のパイロットパターンを確定することと、
前記端末装置が前記第一のパイロットパターンに基づき、前記パイロット信号を伝送するための時間周波数リソースを確定することと、
前記端末装置が前記時間周波数リソースで前記パイロット信号を送信又は受信することとを含む、パイロット信号伝送方法。
【請求項２】
前記複数のパイロットパターンは異なるパイロットリソース密度を有し、ここで、前記パイロットリソース密度が時間領域リソース密度及び／又は周波数領域リソース密度を含むことを特徴とする
請求項１に記載の方法。
【請求項３】
前記端末装置が複数のパイロットパターンにおいて、第一のパイロットパターンを確定することは、
前記端末装置が、
ネットワーク側装置から送信されたパイロットパターン配置情報、
前記パイロット信号と同一の時間領域リソース又は同一の周波数領域リソースで伝送されるデータのための伝送モード情報、
前記端末装置の移動速度推定値情報、
前記パイロット信号を伝送するための、又は前記パイロット信号と同一の時間領域リソース又は同一の周波数領域リソースで伝送されるデータの、基礎パラメータセット情報、
のうちの少なくとも一つの情報に基づき、前記複数のパイロットパターンにおいて、前記第一のパイロットパターンを確定することを含むことを特徴とする
請求項１又は２に記載の方法。
【請求項４】
前記方法はさらに、
前記端末装置がネットワーク側装置から送信された、第一のダウンリンク制御情報（ＤＣＩ）によって示されたパイロットパターン配置情報を受信することを含み、ここで、前記第一のＤＣＩが前記パイロット信号と同一の時間領域リソース又は同一の周波数領域リソースで伝送されるデータをスケジューリングするためのＤＣＩであり、
ここで、端末装置が複数のパイロットパターンにおいて、第一のパイロットパターンを確定することは、
前記端末装置が前記第一のＤＣＩによって示された前記パイロットパターン配置情報に基づき、複数のパイロットパターンにおいて前記第一のパイロットパターンを確定することを含むことを特徴とする
請求項１乃至３のいずれか一項に記載の方法。
【請求項５】
前記端末装置が前記第一のＤＣＩによって示された前記パイロットパターン配置情報に基づき、複数のパイロットパターンにおいて第一のパイロットパターンを確定する前に、前記方法はさらに、
前記端末装置が前記移動速度推定値情報を前記ネットワーク側装置に報告し、ここで、前記移動速度推定値情報が前記パイロットパターン配置情報を確定するために前記ネットワーク側装置によって使用されることを特徴とする
請求項４に記載の方法。
【請求項６】
前記基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含むことを特徴とする
請求項３に記載の方法。
【請求項７】
前記端末装置が複数のパイロットパターンにおいて、第一のパイロットパターンを確定した後、前記方法はさらに、
前記端末装置が前記第一のパイロットパターンの情報をネットワーク側装置に報告することを含むことを特徴とする
請求項１乃至６のいずれか一項に記載の方法。
【請求項８】
前記複数のパイロットパターンがゼロパイロットパターンを含み、前記ゼロパイロットパターンが前記パイロット信号を伝送するための時間周波数リソースがないことを示すことを特徴とする
請求項１乃至７のいずれか一項に記載の方法。
【請求項９】
前記端末装置が複数のパイロットパターンにおいて、第一のパイロットパターンを確定する前に、前記方法はさらに、
前記端末装置が前記ネットワーク装置から送信された、前記複数のパイロットパターンを示すための指示情報を受信することを含むことを特徴とする
請求項１乃至８のいずれか一項に記載の方法。
【請求項１０】
パイロット信号伝送方法であって、
ネットワーク側装置が複数のパイロットパターンにおいて、第一のパイロットパターンを確定することと、
前記ネットワーク側装置が前記第一のパイロットパターンに基づき、前記パイロット信号を伝送するための時間周波数リソースを確定することと、
前記ネットワーク側装置が前記時間周波数リソースで前記パイロット信号を送信又は受信することとを含む、パイロット信号伝送方法。
【請求項１１】
前記複数のパイロットパターンは異なるパイロットリソース密度を有し、ここで、前記パイロットリソース密度が時間領域リソース密度及び／又は周波数領域リソース密度を含むことを特徴とする
請求項１０に記載の方法。
【請求項１２】
前記ネットワーク側装置が複数のパイロットパターンにおいて、第一のパイロットパターンを確定することは、
前記ネットワーク側装置が、
前記パイロット信号と同一の時間領域リソース又は同一の周波数領域リソースで伝送されるデータのための伝送モード情報、
端末装置の移動速度推定値情報、
前記パイロット信号を伝送するための、又は前記パイロット信号と同一の時間領域リソース又は同一の周波数領域リソースで伝送されるデータの、基礎パラメータセット情報、
のうちの少なくとも一つの情報に基づき、前記複数のパイロットパターンにおいて、前記第一のパイロットパターンを確定することを含むことを特徴とする
請求項１０又は１１に記載の方法。
【請求項１３】
前記ネットワーク側装置が複数のパイロットパターンにおいて、第一のパイロットパターンを確定した後、前記方法はさらに、
前記ネットワーク側装置が端末装置へ第一のダウンリンク制御情報（ＤＣＩ）によって示されたパイロットパターン配置情報を送信し、ここで、前記第一のＤＣＩが前記パイロット信号と同一の時間領域リソース又は同一の周波数領域リソースで伝送されるデータをスケジューリングするためのＤＣＩであり、前記パイロットパターン配置情報が前記第一のパイロットパターンを示すことに用いられることを含むことを特徴とする
請求項１０乃至１２のいずれか一項に記載の方法。
【請求項１４】
前記方法はさらに、
前記ネットワーク側装置が前記端末装置から送信された前記移動速度推定値情報を受信することを含み、
ここで、前記ネットワーク側装置が複数のパイロットパターンにおいて、第一のパイロットパターンを確定することは、
前記ネットワーク側装置が前記移動速度推定値情報に基づき、前記複数のパイロットパターンにおいて、前記第一のパイロットパターンを確定することを含むことを特徴とする
請求項１２に記載の方法。
【請求項１５】
前記方法はさらに、
前記ネットワーク側装置が端末装置から報告された前記第一のパイロットパターンの情報を受信することを含むことを特徴とする
請求項１０乃至１４のいずれか一項に記載の方法。
【請求項１６】
前記複数のパイロットパターンはゼロパイロットパターンを含み、前記ゼロパイロットパターンが前記パイロット信号を伝送するための時間領域リソースがないことを示すことを特徴とする
請求項１０乃至１５のいずれか一項に記載の方法。
【請求項１７】
前記方法はさらに、
前記ネットワーク側装置が端末装置へ前記複数のパイロットパターンを示すための指示情報を送信することを含むことを特徴とする
請求項１０乃至１６のいずれか一項に記載の方法。
【請求項１８】
端末装置であって、確定モジュールと伝送モジュールを備え、
確定モジュールは、複数のパイロットパターンにおいて、第一のパイロットパターンを確定するように構成され、
前記確定モジュールはさらに前記第一のパイロットパターンに基づき、前記パイロット信号を伝送するための時間周波数リソースを確定するように構成され、
伝送モジュールは前記確定モジュールによって確定された前記時間周波数リソースで前記パイロット信号を送信又は受信するように構成される、端末装置。
【請求項１９】
前記複数のパイロットパターンは異なるパイロットリソース密度を有し、ここで、前記パイロットリソース密度が時間領域リソース密度及び／又は周波数領域リソース密度を含むことを特徴とする
請求項１８に記載の端末装置。
【請求項２０】
前記確定モジュールは具体的に、
ネットワーク側装置から送信されたパイロットパターン配置情報、
前記パイロット信号と同一の時間領域リソース又は同一の周波数領域リソースで伝送されるデータのための伝送モード情報、
前記端末装置の移動速度推定値情報、
前記パイロット信号を伝送するための、又は前記パイロット信号と同一の時間領域リソース又は同一の周波数領域リソースで伝送されるデータの、基礎パラメータセット情報、
のうちの少なくとも一つの情報に基づき、前記複数のパイロットパターンにおいて、前記第一のパイロットパターンを確定するように構成されることを特徴とする
請求項１８又は１９に記載の端末装置。
【請求項２１】
前記端末装置はさらに、
ネットワーク側装置から送信された、第一のダウンリンク制御情報（ＤＣＩ）によって示されたパイロットパターン配置情報を受信するように構成される受信モジュールを備え、ここで、前記第一のＤＣＩが前記パイロット信号と同一の時間領域リソース又は同一の周波数領域リソースで伝送されるデータをスケジューリングするためのＤＣＩであり、
ここで、前記確定モジュールは具体的に、
前記第一のＤＣＩによって示された前記パイロットパターン配置情報に基づき、複数のパイロットパターンにおいて前記第一のパイロットパターンを確定するように構成されることを特徴とする
請求項１８乃至２０のいずれか一項に記載の端末装置。
【請求項２２】
前記伝送モジュールはさらに、
前記移動速度推定値情報を前記ネットワーク側装置に報告するように構成され、ここで、前記移動速度推定値情報が前記パイロットパターン配置情報を確定するために前記ネットワーク側装置によって使用されることを特徴とする
請求項２１に記載の端末装置。
【請求項２３】
前記基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含むことを特徴とする
請求項２０に記載の端末装置。
【請求項２４】
前記伝送モジュールはさらに、
前記第一のパイロットパターンの情報をネットワーク側装置に報告するように構成されることを特徴とする
請求項１８乃至２３のいずれか一項に記載の端末装置。
【請求項２５】
前記複数のパイロットパターンにゼロパイロットパターンが含まれ、前記ゼロパイロットパターンが前記パイロット信号を伝送するための時間周波数リソースがないことを示すことを特徴とする
請求項１８乃至２４のいずれか一項に記載の端末装置。
【請求項２６】
前記伝送モジュールはさらに、
前記ネットワーク装置から送信された、前記複数のパイロットパターンを示すための指示情報を受信するように構成されることを特徴とする
請求項１８乃至２５のいずれか一項に記載の端末装置。
【請求項２７】
ネットワーク側装置であって、確定モジュールと伝送モジュールを備え、
確定モジュールは複数のパイロットパターンにおいて、第一のパイロットパターンを確定するように構成され、
前記確定モジュールはさらに前記第一のパイロットパターンに基づき、前記パイロット信号を伝送するための時間周波数リソースを確定するように構成され、
伝送モジュールは前記時間周波数リソースで前記パイロット信号を送信又は受信するように構成される、ネットワーク側装置。
【請求項２８】
前記複数のパイロットパターンは異なるパイロットリソース密度を有し、ここで、前記パイロットリソース密度が時間領域リソース密度及び／又は周波数領域リソース密度を含むことを特徴とする
請求項２７に記載のネットワーク側装置。
【請求項２９】
前記確定モジュールは具体的に、
前記パイロット信号と同一の時間領域リソース又は同一の周波数領域リソースで伝送されるデータのための伝送モード情報、
端末装置の移動速度推定値情報、
前記パイロット信号を伝送するための、又は前記パイロット信号と同一の時間領域リソース又は同一の周波数領域リソースで伝送されるデータの、基礎パラメータセット情報、
のうちの少なくとも一つの情報に基づき、前記複数のパイロットパターンにおいて、前記第一のパイロットパターンを確定するように構成されることを特徴とする
請求項２７又は２８に記載のネットワーク側装置。
【請求項３０】
前記伝送モジュールはさらに、
端末装置へ第一のダウンリンク制御情報（ＤＣＩ）によって示されたパイロットパターン配置情報を送信するように構成され、ここで、前記第一のＤＣＩが前記パイロット信号と同一の時間領域リソース又は同一の周波数領域リソースで伝送されるデータをスケジューリングするためのＤＣＩであり、前記パイロットパターン配置情報が前記第一のパイロットパターンを示すことに用いられることを特徴とする
請求項２７乃至２９のいずれか一項に記載のネットワーク側装置。
【請求項３１】
前記伝送モジュールはさらに、
前記端末装置から送信された前記移動速度推定値情報を受信するように構成され、
ここで、前記確定モジュールは前記移動速度推定値情報に基づき、前記複数のパイロットパターンにおいて前記第一のパイロットパターンを確定するように構成されることを特徴とする
請求項２９に記載のネットワーク側装置。
【請求項３２】
前記伝送モジュールはさらに、
前記ネットワーク側装置が端末装置から報告された前記第一のパイロットパターンの情報を受信するように構成されることを特徴とする
請求項２７乃至３１のいずれか一項に記載のネットワーク側装置。
【請求項３３】
前記複数のパイロットパターンはゼロパイロットパターンを含み、前記ゼロパイロットパターンが前記パイロット信号を伝送するための時間リソースがないことを示すことを特徴とする
請求項２７乃至３２のいずれか一項に記載のネットワーク側装置。
【請求項３４】
前記伝送モジュールはさらに、
端末装置へ前記複数のパイロットパターンを示すための指示情報を送信するように構成されることを特徴とする
請求項２７乃至３３のいずれか一項に記載のネットワーク側装置。
【発明の詳細な説明】
【技術分野】
【０００１】
本発明の実施例は通信分野に関し、且つより具体的には、パイロット信号伝送方法、端末装置とネットワーク側装置に関する。
【背景技術】
【０００２】
第５世代移動通信技術（５Ｇ）システムでは、端末装置は３５０ｋｍ／ｈにも達す高速シーンと通常の低速シーンを具体的に含む様々な移動速度での伝送をサポートする必要がある。端末装置の移動速度が異なる場合、そのチャネル変化レートも異なる。チャネルのコヒーレンス時間内でチャネルの変化を追跡することができるために、信号測定又は信号復調のためのパイロットは、チャネル推定の精度を保証するためにそれなりの密度を必要とする。例えば、高速で移動する時に、チャネル変化を追跡するために高いパイロット密度が必要であり、低速で移動する時に、低いパイロット密度を使用してオーバーヘッドを削減することができる。しかし、現在の問題点としては、従来の技術案がパイロット密度と物理リソースを柔軟に調整できないため、高パイロットオーバーヘッドになっている。したがって、この問題を解決する方法を提供する必要がある。
【発明の概要】
【発明が解決しようとする課題】
【０００３】
本発明の実施例はパイロット密度と物理リソースを柔軟に調整し、パイロットオーバーヘッドを削減することができるパイロット信号伝送方法、端末装置とネットワーク側装置を提供する。
【課題を解決するための手段】
【０００４】
第一の態様によるパイロット信号伝送方法は、
該端末装置が複数のパイロットパターン（Ｐａｔｔｅｒｎ）において、第一のパイロットパターンを確定することと、
該端末装置が該第一のパイロットパターンに基づき、該パイロット信号を伝送するための時間周波数リソースを確定することと、
該端末装置が該時間周波数リソースで該パイロット信号を送信又は受信することとを含む。
【０００５】
本発明の実施例では、端末装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【０００６】
選択可能に、該パイロット信号は具体的に復調基準信号（ＤＭＲＳ：Ｄｅｍｏｄｕｌａｔｉｏｎ  Ｒｅｆｅｒｅｎｃｅ  Ｓｉｇｎａｌ）、ユニット固有基準信号（ＣＲＳ：Ｃｅｌｌ−ｓｐｅｃｉｆｉｃ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、位置基準信号（ＰＲＳ：Ｐｏｓｉｔｉｏｎｉｎｇ  Ｒｅｆｅｒｅｎｃｅ  Ｓｉｇｎａｌ）、発見基準信号（ＤＲＳ：Ｄｉｓｃｏｖｅｒｙ  Ｒｅｆｅｒｅｎｃｅ  Ｓｉｇｎａｌ）又はマルチメディアブロードキャスト／マルチキャストサービス単一周波数ネットワーク基準信号（ＭＢＳＦＮ−ＲＳ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ  −Ｒｅｆｅｒｅｎｃｅ  Ｓｉｇｎａｌ）などのＬＴＥにおける各Ｒｅｌバージョンで定義された基準信号を含むことができる。選択可能に、該パイロット信号は５Ｇにおける新しく定義された基準信号であってもよい。
【０００７】
本発明の実施例では、パイロットパターンは一定の時間領域リソースエリアにおける、該パイロット信号を送信するために占有されるリソースユニット（ＲＥ：Ｒｅｓｏｕｃｅ  Ｅｌｅｍｅｎｔ）を示す。
【０００８】
選択可能に、該複数のパイロットパターンは端末装置とネットワーク側装置によって予め定められてもよく、又は、ネットワーク側装置によって端末装置に示されてもよい。例えば、ネットワーク側装置は上位層シグナリング、例えば無線リソース制御（ＲＲＣ：Ｒａｄｉｏ  Ｒｅｓｏｕｒｃｅ  Ｃｏｎｔｒｏｌ）シグナリングによって複数のパイロットパターンを端末装置に示すことができるが、これに限定されない。
【０００９】
選択可能に、いくつかの可能な実施形態では、端末装置が複数のパイロットパターンにおいて、第一のパイロットパターンを確定する前に、該方法はさらに、
該端末装置が該ネットワーク装置から送信された、該複数のパイロットパターンを示すための指示情報を受信することを含むことができる。
【００１０】
選択可能に、いくつかの可能な実施形態では、該複数のパイロットパターンは異なるパイロットリソース密度を有し、ここで、該パイロットリソース密度が時間領域リソース密度及び／又は周波数領域リソース密度を含む。
【００１１】
ここで、時間領域リソース密度は時間領域における隣接するパイロットリソース間の分離された時間領域伝送ユニットの数であり、周波数領域リソース密度は周波数領域における隣接するパイロットリソース間の分離された周波数領域伝送ユニットの数である。ここで、時間領域伝送ユニットは信号を伝送するための時間領域物理リソースの基本単位であり、サブフレーム、ＴＴＩ、タイムスロット、ＯＦＤＭシンボル又はＲＥなどであってもよい。周波数領域伝送ユニットは信号を伝送するための周波数領域物理リソースの基本単位であり、サブ搬送波、ＰＲＢ、サブバンドなどであってもよい。
【００１２】
選択可能に、いくつかの可能な実施形態では、端末装置が複数のパイロットパターンにおいて、第一のパイロットパターンを確定することは、
該端末装置が、
ネットワーク側装置から送信されたパイロットパターン配置情報、
該パイロット信号と同一の時間領域リソース又は同一の周波数領域リソースで伝送されるデータのための伝送モード情報、
該端末装置の移動速度推定値情報、
該パイロット信号を伝送するための、又は該パイロット信号と同一の時間領域リソース又は同一の周波数領域リソースで伝送されるデータの、基礎パラメータセット情報、
のうちの少なくとも一つの情報に基づき、該複数のパイロットパターンにおいて、該第一のパイロットパターンを確定することを含む。
【００１３】
選択可能に、いくつかの可能な実施形態では、端末装置は移動速度推定値とパイロットパターンとの対応関係に応じて、第一のパイロットパターンを確定する。ここで、該対応関係はネットワーク側装置と端末装置によって予め定められてもよく、又はネットワーク側装置によって指示されてもよい。
【００１４】
選択可能に、いくつかの可能な実施形態では、端末装置は該パイロット信号と同一の時間領域リソース又は同一の周波数領域リソースで伝送されるデータのための伝送モードとパイロットパターンとの対応関係に応じて、第一のパイロットパターンを確定する。ここで、該対応関係はネットワーク側装置と端末装置によって予め定められてもよく、又はネットワーク側装置によって示されてもよい。
【００１５】
選択可能に、いくつかの可能な実施形態では、端末装置は該パイロット信号を伝送するための、又は該パイロット信号と同一の時間領域リソース又は同一の周波数領域リソースで伝送されるデータの基礎パラメータセットとパイロットパターンとの対応関係に応じて、第一のパイロットパターンを確定する。ここで、該対応関係はネットワーク側装置と端末装置によって予め定められてもよく、又はネットワーク側装置によって示されてもよい。
【００１６】
選択可能に、いくつかの可能な実施形態では、該方法はさらに、
該端末装置がネットワーク側装置から送信された、第一のダウンリンク制御情報（ＤＣＩ）によって示されたパイロットパターン配置情報を受信し、ここで、該第一のＤＣＩが該パイロット信号と同一の時間領域リソース又は同一の周波数領域リソースで伝送されるデータをスケジューリングするためのＤＣＩであることを含み、
ここで、端末装置が複数のパイロットパターンにおいて、第一のパイロットパターンを確定することは、
該端末装置が該第一のＤＣＩによって示された該パイロットパターン配置情報に基づき、複数のパイロットパターンにおいて該第一のパイロットパターンを確定することを含む。
【００１７】
選択可能に、いくつかの可能な実施形態では、該端末装置が該第一のＤＣＩによって示された該パイロットパターン配置情報に基づき、複数のパイロットパターンにおいて第一のパイロットパターンを確定する前に、該方法はさらに、
該端末装置が該移動速度推定値情報を該ネットワーク側装置に報告し、ここで、該移動速度推定値情報が該パイロットパターン配置情報を確定するために該ネットワーク側装置によって使用されることを含む。
【００１８】
選択可能に、いくつかの可能な実施形態では、該基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含む。
【００１９】
ここで、サブ搬送波間隔は隣接するサブ搬送波の周波数間隔、例えば１５ｋＨｚ、６０ｋＨｚなどであり、特定帯域幅におけるサブ搬送波の数は例えば可能なシステム帯域幅ごとに対応するサブ搬送波の数であり、ＰＲＢに含まれるサブ搬送波の数は例えば典型的に１２の整数倍であってもよく、ＴＴＩに含まれるＯＦＤＭシンボルの数は例えば典型的に１４の整数倍であってもよく、一定時間単位内に含まれるＴＴＩの数は１ｍｓ又は１０ｍｓの時間長さ内に含まれるＴＴＩの数であってもよく、信号プレフィックスの長さは例えば信号のサイクリックプレフィックスの時間長さであり、又はサイクリックプレフィックスが通常のＣＰで拡張されるとか、ＣＰで拡張されるとか。
【００２０】
選択可能に、いくつかの可能な実施形態では、該端末装置が複数のパイロットパターンにおいて、第一のパイロットパターンを確定した後、該方法はさらに、
該端末装置が該第一のパイロットパターンの情報をネットワーク側装置に報告することを含む。
【００２１】
端末装置はアップリンク制御チャネルによって第一のパイロットパターンの情報をネットワーク側装置に報告することができ、これによりネットワーク側装置はパイロット信号のリソース位置を確定し、それによって該パイロット信号に基づいてチャネル推定を行うことができる。
【００２２】
選択可能に、いくつかの可能な実施形態では、該複数のパイロットパターンがゼロパイロットパターンを含み、該ゼロパイロットパターンが前記パイロット信号を伝送するための時間周波数リソースがないことを示す。
【００２３】
例えば、端末装置の移動速度が遅い場合、該複数のパイロットパターンにゼロパイロットパターンが含まれてもよい。例えば、４つのパイロットパターンにおいて、パイロットパターン２が１つのＯＦＤＭ信号を占有し、パイロットパターン３が２つのＯＦＤＭ信号を占有し、パイロットパターン４が３つのＯＦＤＭ信号を占有し、パイロットパターン１が０つのＯＦＤＭ信号を占有し、ここで、パイロットパターン１がゼロパイロットパターンである。
【００２４】
言い換えれば、該複数のパイロットパターンに、パイロットリソースが使用されない少なくとも一つのパイロットパターンが含まれる。「パイロットリソースが使用されない」は現在の伝送時間ユニットでパイロット信号を伝送する必要がないことを示す。
【００２５】
第二の態様によるパイロット信号伝送方法は、
ネットワーク側装置が複数のパイロットパターン（Ｐａｔｔｅｒｎ）において、第一のパイロットパターンを確定することと、
該ネットワーク側装置が該第一のパイロットパターンに基づき、該パイロット信号を伝送するための時間周波数リソースを確定することと、
該ネットワーク側装置が該時間周波数リソースで該パイロット信号を送信又は受信することとを含む。
【００２６】
本発明の実施例では、ネットワーク側装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【００２７】
選択可能に、該第一のパイロットパターンは一定の時間領域リソースエリアにおける、該パイロット信号を送信するために占有されるリソースユニット（ＲＥ）を示すことに用いられる。
【００２８】
選択可能に、該複数のパイロットパターンは端末装置とネットワーク側装置によって予め定められてもよく、又は、ネットワーク側装置によって端末装置に示されてもよい。例えば、ネットワーク側装置は上位層シグナリング、例えば無線リソース制御（ＲＲＣ：Ｒａｄｉｏ  Ｒｅｓｏｕｒｃｅ  Ｃｏｎｔｒｏｌ）シグナリングによって複数のパイロットパターンを端末装置に示すことができるが、これに限定されない。
【００２９】
選択可能に、いくつかの可能な実施形態では、ネットワーク側装置が複数のパイロットパターンにおいて、第一のパイロットパターンを確定する前に、該方法はさらに、
該ネットワーク側装置が端末装置へ該複数のパイロットパターンを示すための指示情報を送信することを含むことができる。
【００３０】
選択可能に、いくつかの可能な実施形態では、該複数のパイロットパターンは異なるパイロットリソース密度を有し、ここで、該パイロットリソース密度が時間領域リソース密度及び／又は周波数領域リソース密度を含む。
【００３１】
ここで、時間領域リソース密度は時間領域における隣接するパイロットリソース間の分離された時間領域伝送ユニットの数であり、周波数領域リソース密度は周波数領域における隣接するパイロットリソース間の分離された周波数領域伝送ユニットの数である。ここで、時間領域伝送ユニットは信号を伝送するための時間領域物理リソースの基本単位であり、サブフレーム、ＴＴＩ、タイムスロット、ＯＦＤＭシンボル又はＲＥなどであってもよい。周波数領域伝送ユニットは信号を伝送するための周波数領域物理リソースの基本単位であり、サブ搬送波、ＰＲＢ、サブバンドなどであってもよい。
【００３２】
選択可能に、いくつかの可能な実施形態では、該ネットワーク側装置が複数のパイロットパターンにおいて、第一のパイロットパターンを確定することは、
該ネットワーク側装置が、
該パイロット信号と同一の時間領域リソース又は同一の周波数領域リソースで伝送されるデータのための伝送モード情報、
端末装置の移動速度推定値情報、
該パイロット信号を伝送するための、又は該パイロット信号と同一の時間領域リソース又は同一の周波数領域リソースで伝送されるデータの基礎パラメータセット情報、
のうちの少なくとも一つの情報に基づき、該複数のパイロットパターンにおいて、該第一のパイロットパターンを確定することを含む。
【００３３】
選択可能に、いくつかの可能な実施形態では、該基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含む。
【００３４】
ここで、サブ搬送波間隔は隣接するサブ搬送波の周波数間隔、例えば１５ｋＨｚ、６０ｋＨｚなどであり、特定帯域幅におけるサブ搬送波の数は例えば可能なシステム帯域幅ごとに対応するサブ搬送波の数であり、ＰＲＢに含まれるサブ搬送波の数は例えば典型的に１２の整数倍であってもよく、ＴＴＩに含まれるＯＦＤＭシンボルの数は例えば典型的に１４の整数倍であってもよく、一定時間単位内に含まれるＴＴＩの数は１ｍｓ又は１０ｍｓの時間長さ内に含まれるＴＴＩの数であってもよく、信号プレフィックスの長さは例えば信号のサイクリックプレフィックスの時間長さであり、又はサイクリックプレフィックスが通常のＣＰで拡張されるとか、ＣＰで拡張されるとか。
【００３５】
選択可能に、いくつかの可能な実施形態では、該ネットワーク側装置が複数のパイロットパターンにおいて、第一のパイロットパターンを確定した後、該方法はさらに、
該ネットワーク側装置が端末装置へ第一のダウンリンク制御情報（ＤＣＩ）によって示されたパイロットパターン配置情報を送信し、ここで、該第一のＤＣＩが該パイロット信号と同一の時間領域リソース又は同一の周波数領域リソースで伝送されるデータをスケジューリングするためのＤＣＩであり、前記パイロットパターン配置情報が該第一のパイロットパターンを示すことに用いられることを含む。
【００３６】
選択可能に、いくつかの可能な実施形態では、該方法はさらに、
該ネットワーク側装置が該端末装置から送信された該移動速度推定値情報を受信することを含み、
ここで、該ネットワーク側装置が複数のパイロットパターンにおいて、第一のパイロットパターンを確定することは、
該ネットワーク側装置が該移動速度推定値情報に基づき、該複数のパイロットパターンにおいて、該第一のパイロットパターンを確定することを含む。
【００３７】
選択可能に、いくつかの可能な実施形態では、該方法はさらに、
該ネットワーク側装置が端末装置から報告された該第一のパイロットパターンの情報を受信することを含む。
【００３８】
ネットワーク側装置は、受信された第一のパイロットパターンの情報に基づき、パイロット信号のリソース位置を確定し、それによって該パイロット信号に基づいてチャネル推定を行う。
【００３９】
選択可能に、いくつかの可能な実施形態では、該複数のパイロットパターンはゼロパイロットパターンを含み、前記ゼロパイロットパターンが前記パイロット信号を伝送するための時間領域リソースがないことを示す。
【００４０】
言い換えれば、該複数のパイロットパターンに、パイロットリソースが使用されない少なくとも一つのパイロットパターンが含まれる。「パイロットリソースが使用されない」は現在の伝送時間ユニットでパイロット信号を伝送する必要がないことを示す。
【００４１】
本発明の実施例では、パイロットパターンはパイロット信号を伝送するためのリソースユニット（ＲＥ）を示す。
【００４２】
第三の態様による端末装置は、上記第一の態様又は第一の態様のいずれかの可能な実施形態における方法を実行することに用いられる。具体的には、該装置は上記第一の態様又は第一の態様のいずれかの可能な実施形態における方法を実行するためのユニットを備える。
【００４３】
第四の態様によるネットワーク側装置は、上記第二の態様又は第二の態様のいずれかの可能な実施形態における方法を実行することに用いられる。具体的には、該装置は上記第二の態様又は第二の態様のいずれかの可能な実施形態における方法を実行するためのユニットを備える。
【００４４】
第五の態様による端末装置は、プロセッサ、メモリと通信インタフェースを備える。プロセッサとメモリは通信インタフェースに接続される。メモリは命令を記憶することに用いられ、プロセッサは該命令を実行することに用いられ、通信インタフェースがプロセッサの制御で他のネットワーク要素と通信することに用いられる。該プロセッサが該メモリに記憶された命令を実行する時に、該実行により該プロセッサは第一の態様又は第一の態様のいずれかの可能な実施形態における方法を実行する。
【００４５】
第六の態様によるネットワーク側装置は、プロセッサ、メモリと通信インタフェースを備える。プロセッサとメモリは通信インタフェースに接続される。メモリは命令を記憶することに用いられ、プロセッサは該命令を実行することに用いられ、通信インタフェースがプロセッサの制御で他のネットワーク要素と通信することに用いられる。該プロセッサが該メモリに記憶された命令を実行する時に、該実行により該プロセッサは第二の態様又は第二の態様のいずれかの可能な実施形態における方法を実行する。
【００４６】
第七の態様によるコンピュータ可読記憶媒体は、端末装置に上記第一の態様及びその様々な実施形態におけるいずれかのパイロット信号伝送方法を実行させるためのプログラムを記憶する。
【００４７】
第八の態様によるコンピュータ可読記憶媒体は、端末装置に上記第二の態様及びその様々な実施形態におけるいずれかのパイロット信号伝送方法を実行させるためのプログラムを記憶する。
【図面の簡単な説明】
【００４８】
【図１】本発明の実施例の一つの応用シーンの概略図である。
【図２】本発明の実施例によるパイロット信号伝送方法の概略フローチャートである。
【図３】本発明の実施例によるパイロット信号を伝送する一例の概略図である。
【図４】本発明の実施例によるパイロット信号を伝送する別の例の概略図である。
【図５】本発明の実施例によるパイロット信号を伝送する他の例の概略図である。
【図６】本発明の実施例によるパイロット信号伝送方法の他のフローチャートである。
【図７】本発明の実施例による端末装置の概略ブロック図である。
【図８】本発明の実施例によるネットワーク側装置の概略ブロック図である。
【図９】本発明の他の実施例による端末装置の構造図である。
【図１０】本発明の他の実施例によるネットワーク側装置の構造図である。
【発明を実施するための形態】
【００４９】
本発明の実施例の技術的解決策をより明確に説明するために、以下に実施例又は従来技術の説明に必要な図面を簡単に説明し、明らかに、以下に記載される図面は本発明のいくつかの実施例に過ぎず、当業者であれば、創造的な労力を要することなく、これらの図面に基づいて他の図面を得ることができる。
【００５０】
以下に本出願の実施例の図面を組み合わせながら、本出願の実施例における技術的解決策を明確に、全面的に説明し、明らかに、説明される実施例は本出願の一部の実施例に過ぎず、全ての実施例ではない。本出願の実施例に基づき、当業者が創造的な労力を要せずに得た他の実施例は、全て本出願の保護範囲に属する。
【００５１】
理解すべきものとして、本発明の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ  Ｓｙｓｔｅｍ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの現在の通信システム、特に将来の５Ｇにシステムに応用されてもよい。
【００５２】
また、理解すべきものとして、本発明の実施例では、ネットワーク側装置はネットワーク装置又は基地局などと呼ばれてもよく、基地局がＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける進化型基地局（ｅＮＢ又はｅＮｏｄｅＢ：Ｅｖｏｌｕｔｉｏｎａｌ  Ｎｏｄｅ  Ｂ）、又は将来の５Ｇネットワークにおける基地局装置などであってもよく、本発明はこれに限定されない。
【００５３】
また、理解すべきものとして、本発明の実施例では、端末装置は無線アクセスネットワーク（ＲＡＮ：Ｒａｄｉｏ  Ａｃｃｅｓｓ  Ｎｅｔｗｏｒｋ）を介して一つ又は複数のコアネットワーク（Ｃｏｒｅ  Ｎｅｔｗｏｒｋ）と通信することができ、端末装置はアクセス端末、ユーザ装置（ＵＥ：Ｕｓｅｒ  Ｅｑｕｉｐｍｅｎｔ）、加入者ユニット、加入者局、移動局、移動サイト、遠隔局、遠隔端末、移動装置、ユーザ端末、端末、無線通信装置、ユーザエージェント又はユーザ装置と呼ばれてもよい。端末装置はユニットラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置などであってもよい。
【００５４】
図１は一つのシーンの概略図である。理解すべきものとして、理解を容易にするために、ここで図１におけるシーンを導入することを例として説明するが、本発明に対する制限を構成しない。図１に端末装置１１、端末装置１２、端末装置１３と基地局２１が示される。
【００５５】
図１に示すように、端末装置１１は基地局２１と通信することができ、端末装置１２は基地局２１と通信することができ、端末装置１３は基地局２１と通信することができる。又は、端末装置１２は端末装置１１と通信することもできる。又は、他の状況として、端末装置１３は端末装置１２と通信する。ここで、端末装置と基地局の通信、又は端末装置と端末装置の通信では、いずれもパイロットパターン（ｐａｔｔｅｒｎ）に基づいて時間周波数物理リソースを確定し、それによって該時間周波数物理リソースでパイロット信号を送信又は受信することができる。ここで、パイロットパターンは一定の時間領域リソース領域におけるパイロット信号に占有されたリソースユニット（ＲＥ：Ｒｅｓｏｕｃｅ  Ｅｌｅｍｅｎｔ）、例えば一つのサブフレームの一つの物理リソースブロック（ＰＲＢ：Ｐｈｙｓｉｃａｌ  Ｒｅｓｏｕｒｃｅ  Ｂｌｏｃｋ）のリソース範囲におけるパイロット信号に占有されたＲＥを示すことに用いられる。ここで、「パイロット信号」は「パイロット」と略称されてもよい。
【００５６】
しかしながら、従来のパイロット伝送技術では、パイロットパターンの選択が完全にネットワーク側装置に基づいて決定されるため、端末装置はパイロットパターンの選択を行うことができない。また、５Ｇシステムは端末装置の様々な速度シーンをサポートする必要があり、ネットワーク側装置又は端末装置は様々なシーンの変化に応じて、パイロットを伝送するために必要な時間周波数リソースを適応的に選択することができなく、さらにパイロットの密度を柔軟に調整することができない。したがって、本特許における端末装置又はネットワーク側装置は現在のチャネル状態又は他の伝送パラメータの変化に応じて、パイロットの密度及び占有された物理リソースを柔軟に調整することを図る。
【００５７】
図２は本発明の実施例によるパイロット信号伝送方法２００の概略フローチャートである。該方法２００は端末装置によって実行され、例えば、該端末装置が図１における端末装置１１、端末装置１２又は端末装置１３であってもよい。図２に示すように、該方法２００はＳ２１０〜Ｓ２３０を含む。
【００５８】
Ｓ２１０において、端末装置は複数のパイロットパターンにおいて、第一のパイロットパターンを確定する。
【００５９】
具体的には、端末装置は複数のパイロットパターンにおいて、該第一のパイロットパターンを選択することができる。
【００６０】
本発明の実施例では、パイロットパターンは一定の時間領域リソース領域における該パイロット信号を伝送るために占有されたリソースユニット（ＲＥ）を示す。
【００６１】
選択可能に、該パイロット信号は具体的に復調基準信号（ＤＭＲＳ：Ｄｅｍｏｄｕｌａｔｉｏｎ  Ｒｅｆｅｒｅｎｃｅ  Ｓｉｇｎａｌ）、ユニット固有基準信号（ＣＲＳ：Ｃｅｌｌ−ｓｐｅｃｉｆｉｃ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、位置基準信号（ＰＲＳ：Ｐｏｓｉｔｉｏｎｉｎｇ  Ｒｅｆｅｒｅｎｃｅ  Ｓｉｇｎａｌ）、発見基準信号（ＤＲＳ：Ｄｉｓｃｏｖｅｒｙ  Ｒｅｆｅｒｅｎｃｅ  Ｓｉｇｎａｌ）又はマルチメディアブロードキャスト／マルチキャストサービス単一周波数ネットワーク基準信号（ＭＢＳＦＮ−ＲＳ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ  −Ｒｅｆｅｒｅｎｃｅ  Ｓｉｇｎａｌ）などのＬＴＥにおける各Ｒｅｌバージョンで定義された基準信号を含むことができる。選択可能に、該パイロット信号は５Ｇにおける新しく定義された基準信号であってもよい。
【００６２】
選択可能に、該複数のパイロットパターンは端末装置とネットワーク側装置によって予め定められてもよく、又は、ネットワーク側装置によって端末装置に示されてもよい。例えば、ネットワーク側装置は上位層シグナリング、例えば無線リソース制御（ＲＲＣ：Ｒａｄｉｏ  Ｒｅｓｏｕｒｃｅ  Ｃｏｎｔｒｏｌ）シグナリングによって複数のパイロットパターンを端末装置に示すことができるが、これに限定されない。
【００６３】
選択可能に、該複数のパイロットパターンは端末装置又はネットワーク装置によって確定されたパイロットパターンサブセットであってもよく、即ち端末装置又はネットワーク装置は定めれたパイロットパターンセットにおいて該パイロットパターンサブセットを確定することができる。
【００６４】
理解すべきものとして、第一のパイロットパターンは端末装置に適するパイロットパターンであり、「第一」は、説明を容易にするために導入されるものに過ぎず、本発明に対する具体的な限定を構成しない。
【００６５】
選択可能に、Ｓ２１０の前に、該方法はさらに、
該端末装置が該ネットワーク装置から送信された、該複数のパイロットパターンを示すための指示情報を受信することをさらに含むことができる。
【００６６】
即ち、端末装置はネットワーク装置が指示情報によって送信した該複数のパイロットパターンを受信することができる。
【００６７】
Ｓ２２０において、該端末装置は該第一のパイロットパターンに基づき、該パイロット信号を伝送するための時間周波数リソースを確定する。
【００６８】
具体的には、端末装置は該第一のパイロットパターンに基づき、パイロット信号を伝送するための時間周波数物理リソースを確定することができる。
【００６９】
Ｓ２３０において、該端末装置は該時間周波数リソースで該パイロット信号を送信又は受信する。
【００７０】
具体的には、端末装置は第一のパイロットパターンに基づいて時間周波数物理リソースを確定した後、該時間周波数物理リソースでアップリンクパイロット信号の送信を行うことができ、又は該時間周波数物理リソースでダウンリンクパイロット信号の受信を行うことができる。
【００７１】
本発明の実施例では、端末装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【００７２】
選択可能に、本発明の実施例では、該複数のパイロットパターンは異なるパイロットリソース密度を有し、ここで、該パイロットリソース密度が時間領域リソース密度及び／又は周波数領域リソース密度を含む。
【００７３】
具体的には、時間領域リソース密度は時間領域における隣接するパイロットリソース間の分離された時間領域伝送ユニットの数であり、周波数領域リソース密度は周波数領域における隣接するパイロットリソース間の分離された周波数領域伝送ユニットの数である。ここで、時間領域伝送ユニットは信号を伝送するための時間領域物理リソースの基本単位であり、サブフレーム、ＴＴＩ、タイムスロット、ＯＦＤＭシンボル又はＲＥなどであってもよい。周波数領域伝送ユニットは信号を伝送するための周波数領域物理リソースの基本単位であり、サブ搬送波、ＰＲＢ、サブバンドなどであってもよい。例えば、一つのサブフレームにおける、異なるパイロットパターンにおけるパイロットリソースに占有されたＯＦＤＭシンボルの数が異なり、又は、一つの無線フレームにおける、異なるパイロットパターンにおけるパイロットリソースに占有されたサブフレームの数が異なる。例えば、一つのＰＲＢにおける、異なるパイロットパターンにおけるパイロットリソースに占有されたサブ搬送波の数が異なり、又は、一つのサブバンドにおける、異なるパイロットパターンにおけるパイロットリソースに占有されたサブ搬送波の数が異なり、又は、一つの帯域幅における、異なるパイロットパターンにおけるパイロットリソースに占有されたサブ搬送波の数が異なる。
【００７４】
このようにして、異なるパイロットリソース密度を有する複数のパイロットパターンに対して、端末装置はそれ自体の実際の状況に応じて、適切なパイロットパターンを選択してパイロット伝送を行うことができ、又は、ネットワーク側装置は現在のチャネルの実際の変化状況に応じて、端末装置に適するパイロットパターンを選択することができ、これによりパイロットの密度及び占有された物理リソースを柔軟に調整するという目的を達成する。
【００７５】
選択可能に、一つの実施例として、Ｓ２１０は、
該端末装置が、
ネットワーク側装置から送信されたパイロットパターン配置情報、
該パイロット信号と同一の時間領域リソース又は同一の周波数領域リソースで伝送されるデータのための伝送モード情報、
該端末装置の移動速度推定値情報、
該パイロット信号を伝送するための、又は該パイロット信号と同一の時間領域リソース又は同一の周波数領域リソースで伝送されるデータの基礎パラメータセット情報、
のうちの少なくとも一つの情報に基づき、該複数のパイロットパターンにおいて、該第一のパイロットパターンを確定することを含むことができる。
【００７６】
具体的には、端末装置は上記情報のうちの少なくとも一つの情報を判定要因とし、複数のパイロットパターンにおいて適切なパイロットパターン、即ち第一のパイロットパターンを選択することができる。端末装置がどのように上記の少なくとも一つの情報に基づいて第一のパイロットパターンを確定することができるかをより明確に理解するために、以下に上記の少なくとも一つの情報における各情報を詳細に説明する。
【００７７】
選択可能に、一つの実施例として、上記「ネットワーク側装置から送信されたパイロットパターン配置情報」に対して、具体的には、端末装置はネットワーク側装置から送信されたパイロットパターン配置情報を受信することができ、該パイロットパターン配置情報が第一のパイロットパターンを示すための配置情報である。言い換えれば、ネットワーク側装置は該端末装置に適するパイロットパターンを選択することができる。ここで、該パイロットパターン配置情報はネットワーク側装置が上位層シグナリングによって示すものであってもよく、又は、ネットワーク側装置が物理層ダウンリンク制御情報（ＤＣＩ：Ｄｏｗｎｌｉｎｋ  Ｃｏｎｔｒｏｌ  Ｉｎｆｏｒｍａｔｉｏｎ）シグナリングによって示すものであってもよい。
【００７８】
選択可能に、一つの実施例として、該方法はさらに、
該端末装置がネットワーク側装置から送信された、第一のダウンリンク制御情報（ＤＣＩ）によって示されたパイロットパターン配置情報を受信し、ここで、該第一のＤＣＩが該パイロット信号と同一の時間領域リソース又は同一の周波数領域リソースで伝送されるデータをスケジューリングするためのＤＣＩであることを含み、
ここで、該端末装置が複数のパイロットパターンにおいて、第一のパイロットパターンを確定することは、
該端末装置が該第一のＤＣＩによって示された該パイロットパターン配置情報に基づき、複数のパイロットパターンにおいて該第一のパイロットパターンを確定することを含む。
【００７９】
具体的には、端末装置はネットワーク側装置から送信された、第一のＤＣＩによって示されたパイロットパターン配置情報を受信し、それによって該第一のＤＣＩによって示されたパイロットパターン配置情報に基づき、複数のパイロットパターンにおいて該第一のパイロットパターンを選択することができる。例えば、ネットワーク側装置は第一のＤＣＩにおいて、端末装置に使用されたパイロットパターンを２ビットで示す。ここで、第一のＤＣＩは該パイロット信号と同一の時間領域リソース又は同一の周波数領域リソースで伝送されるデータをスケジューリングするためのＤＣＩである。パイロットパターン配置情報は該パイロット信号と同一の時間領域リソース又は同一の周波数領域リソースで伝送されるデータをスケジューリングするためのパイロットパターンである。
【００８０】
したがって、端末装置は該パイロットパターン配置情報に基づいて第一のパイロットパターンを確定し、それによってパイロットの密度及び占有された物理リソースを柔軟に調整することができる。
【００８１】
選択可能に、一つの実施例として、上記「該パイロット信号と同一の時間領域リソース又は同一の周波数領域リソースで伝送されるデータのための伝送モード情報」に対して、具体的には、端末装置は該パイロット信号と同一の時間領域リソース又は同一の周波数領域リソースで伝送されるデータのための伝送モード、及び伝送モードとパイロットパターンとの対応関係に基づき、第一のパイロットパターンを選択することができる。ここで、「時間領域リソース」はサブフレーム、タイムスロット、伝送時間間隔（ＴＴＩ：Ｔｒａｎｓｍｉｓｓｉｏｎ  Ｔｉｍｅ  Ｉｎｔｅｒｖａｌ）、ＯＦＤＭシンボル、無線フレームなどの伝送時間ユニットであってもよく、５Ｇにおける新しく定義された伝送時間ユニットであってもよい。「周波数領域リソース」はサブバンド、ＰＲＢ、搬送波（Ｃａｒｒｉｅｒ）又は帯域幅などであってもよい。
【００８２】
説明すべきものとして、伝送モードとパイロットパターンとの対応関係はネットワーク側装置と端末装置によって予め定められてもよく、ネットワーク側装置によって端末装置へ指示情報を直接送信することもでき、該指示情報が異なる伝送モードにおける対応するパイロットパターンを示すことに用いられる。例えば、伝送モードＡと伝送モードＢはパイロットパターン１に対応し、伝送モードＣはパイロットパターン２に対応する。
【００８３】
例えば、一つの典型的なアプリケーションとして、高速シーンの場合、端末装置はオープンループ多入力多出力（ＭＩＭＯ：Ｍｕｌｔｉｐｌｅ−Ｉｎｐｕｔ  Ｍｕｌｔｉｐｌｅ−Ｏｕｔｐｕｔ）などのロバストな送信モードを使用し、ここで、オープンループ伝送モードがパイロットパターン１に対応し、低速シーンの場合、端末装置は閉ループＭＩＭＯなどのスペクトル効率が高い伝送モードを使用し、ここで、閉ループ伝送モードがパイロットパターン２に対応する。
【００８４】
したがって、端末装置は該パイロット信号と同一の時間領域リソース又は同一の周波数領域リソースで伝送されるデータのための伝送モード情報、及び伝送モードとパイロットパターンとの対応関係に基づき、第一のパイロットパターンを確定し、それによってパイロットの密度及び占有された物理リソースを柔軟に調整することができる。
【００８５】
選択可能に、一つの実施例として、「端末装置の移動速度推定値情報」に対して、具体的には、端末装置は現在の移動速度推定値、及び移動速度推定値とパイロットパターンとの対応関係に基づき、第一のパイロットパターンを選択することができる。具体的な実施中、端末装置は送信されたパイロット信号又はデータ信号に基づいて移動速度推定値を推定し、現在の移動速度推定値を取得し、その後移動速度推定値の速度範囲とパイロットパターンとの対応関係に応じて、現在の移動速度推定値に対応する第一のパイロットパターンを選択することができる。
【００８６】
説明すべきものとして、移動速度推定値とパイロットパターンとの対応関係はネットワーク側装置と端末装置によって予め定められてもよく、又は、ネットワーク側装置によって端末装置に指示情報を直接送信することもでき、該指示情報が異なる移動速度推定値に対応するパイロットパターンを示すことに用いられる。例えば、移動速度範囲とパイロットパターンとの対応関係は表１の通りである：
【表１】
2019527968.tif 000003
【００８７】
表１において、端末装置の移動速度推定値が０−３ｋｍ範囲内にある場合、対応するパイロットパターンはパイロットパターン１であり、端末装置の移動速度推定値が３−３０ｋｍ範囲内にある場合、対応するパイロットパターンはパイロットパターン２であり、端末装置の移動速度推定値が３０−１２０ｋｍ範囲内にある場合、対応するパイロットパターンはパイロットパターン３であり、端末装置の移動速度推定値が１２０−３５０ｋｍ範囲内にある場合、対応するパイロットパターンはパイロットパターン４であり、端末装置の移動速度推定値が３５０ｋｍ以上である場合、対応するパイロットパターンはパイロットパターン５である。
【００８８】
このようにして、端末装置は、異なる移動速度シーンで、移動速度推定値とパイロットパターンとの対応関係に応じて、第一のパイロットパターンを選択し、それによってパイロットの密度及び占有された物理リソースを柔軟に調整することを実現することができる。
【００８９】
選択可能に、一つの実施例として、「該パイロット信号を伝送するための、又は該パイロット信号と同一の時間領域リソース又は同一の周波数領域リソースで伝送されるデータの基礎パラメータセット情報」については、具体的には、端末装置は該パイロット信号を伝送するための、又は該パイロット信号と同一の時間領域リソース又は同一の周波数領域リソースで伝送されるデータの基礎パラメータセット、及び該基礎パラメータセットとパイロットパターンとの対応関係、又は該基礎パラメータセットにおけるパラメータとパイロットパターンとの対応関係に基づき、第一のパイロットパターンを選択することができる。ここで、基礎パラメータセットは信号を伝送するための時間領域伝送ユニット及び周波数領域伝送ユニットを確定するための少なくとも一つの基礎パラメータである。
【００９０】
説明すべきものとして、基礎パラメータセット又は基礎パラメータセットにおけるパラメータとパイロットパターンとの対応関係は、ネットワーク側装置と端末装置によって予め定められてもよく、又は、ネットワーク側装置によって端末装置に指示情報を直接送信することもでき、ここで、該指示情報が異なる基礎パラメータセットに対応するパイロットパターンを示すことに用いられ、又は該指示情報が基礎パラメータセットにおけるパラメータに対応するパイロットパターンを示すことに用いられる。
【００９１】
例えば、基礎パラメータセットのパラメータがサブ搬送波間隔を含む場合、サブ搬送波間隔とパイロットパターンとの対応関係は表２の通りである：
【表２】
2019527968.tif 000004
【００９２】
表２において、サブ搬送波間隔が１５ｋＨＺである場合、対応するパイロットパターンはパイロットパターン１であり、サブ搬送波間隔が３０ｋＨＺである場合、対応するパイロットパターンはパイロットパターン２であり、サブ搬送波間隔が６０ｋＨＺである場合、対応するパイロットパターンはパイロットパターン３であり、サブ搬送波間隔が１２０ｋＨＺである場合、対応するパイロットパターンはパイロットパターン４である。
【００９３】
又は、例えば、基礎パラメータセットにおけるパラメータがサブ搬送波間隔を含む場合、サブ搬送波間隔とパイロットパターンとの対応関係は表３の通りである：
【表３】
2019527968.tif 000005
【００９４】
表３において、サブ搬送波間隔が１５ｋＨＺである場合、対応するパイロットパターンサブセットはパイロットパターン１とパイロットパターン２を含み、サブ搬送波間隔が３０ｋＨＺである場合、対応するパイロットパターンサブセットはパイロットパターン３とパイロットパターン４を含む。
【００９５】
ここで、表２と表３の違いは、表２の一つのサブ搬送波間隔が一つのパイロットパターンに対応し、表３の一つのサブ搬送波間隔が複数のパイロットパターンに対応することができることである。言い換えれば、表３の各サブ搬送波間隔は一つのパイロットパターンサブセットに対応することができ、該パイロットパターンセットに複数のパイロットパターンが含まれる。
【００９６】
このようにして、端末装置は基礎パラメータセット又は基礎パラメータセットにおけるパラメータとパイロットパターンとの対応関係に応じて、第一のパイロットパターンを確定し、それによってパイロットの密度及び占有された物理リソースを柔軟に調整することができる。
【００９７】
理解すべきものとして、以上に表１−表３の対応関係を例として説明したが、実際にこれに限定されない。
【００９８】
選択可能に、他の実施例として、該基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含む。
【００９９】
ここで、サブ搬送波間隔は隣接するサブ搬送波の周波数間隔、例えば１５ｋＨｚ、６０ｋＨｚなどであり、特定帯域幅におけるサブ搬送波の数は例えば可能なシステム帯域幅ごとに対応するサブ搬送波の数であり、ＰＲＢに含まれるサブ搬送波の数は例えば典型的に１２の整数倍であってもよく、ＴＴＩに含まれるＯＦＤＭシンボルの数は例えば典型的に１４の整数倍であってもよく、一定時間単位内に含まれるＴＴＩの数は１ｍｓ又は１０ｍｓの時間長さ内に含まれるＴＴＩの数であってもよく、信号プレフィックスの長さは例えば信号のサイクリックプレフィックスの時間長さであり、又はサイクリックプレフィックスが通常のＣＰで拡張されるとか、ＣＰで拡張されるとか。
【０１００】
上述したように、端末装置は上記の少なくとも一つの情報に基づき、第一のパイロットパターンを確定することがである。説明すべきものとして、上記の少なくとも一つの情報の一部が組み合わせて使用されてもよい。例えば、ネットワーク側装置から送信されたパイロットパターン配置情報と端末装置の移動速度推定値情報などの他の組み合わせがある。以下にパイロットパターン配置情報と端末装置の移動速度推定値情報が組み合わせて使用されるという実施例を説明する。
【０１０１】
選択可能に、一つの実施例として、該端末装置が該第一のＤＣＩによって指示された該パイロットパターン配置情報に基づき、複数のパイロットパターンにおいて第一のパイロットパターンを確定する前に、該方法２００はさらに、
該端末装置が該移動速度推定値情報を該ネットワーク側装置に報告し、ここで、該移動速度推定値情報が該パイロットパターン配置情報を確定するために該ネットワーク側装置によって使用されることを含む。
【０１０２】
具体的には、端末装置はそれ自体の移動速度推定値をネットワーク側装置に報告することができ、これによりネットワーク側装置は該移動速度推定値に基づいて端末装置のためのパイロットパターンを確定することができる。言い換えれば、ネットワーク側装置は端末装置から送信された移動速度推定値に基づき、該パイロットパターン配置情報を確定し、そしてダウンリンク命令（例えば第一のＤＣＩ）によって該パイロットパターン配置情報を示すことができる。ここで、端末装置は移動速度推定値を量子化し、ネットワーク側装置に報告することができる。
【０１０３】
説明すべきものとして、ネットワーク側装置は、端末装置の伝送モード情報又は基礎パラメータセット情報を知ることができるが、端末装置の移動速度推定値に対して、端末装置によって報告される必要がある。
【０１０４】
選択可能に、一つの実施例として、Ｓ２１０の後、該方法２００はさらに、
該端末装置が該第一のパイロットパターンの情報をネットワーク側装置に報告することを含むことができる。
【０１０５】
具体的には、端末装置はアップリンク制御チャネルによって第一のパイロットパターンの情報をネットワーク側装置に報告することができ、これによりネットワーク側装置は該第一パイロットパターンに基づいてパイロット信号のリソース位置を確定し、それによってネットワーク側装置は該パイロット信号に基づいてチャネル推定を行う。
【０１０６】
選択可能に、一つの実施例として、該複数のパイロットパターンはゼロパイロットパターンを含み、該ゼロパイロットパターンが該パイロット信号を伝送するための時間周波数リソースがないことを示す。
【０１０７】
具体的には、本発明の実施例では、複数のパイロットパターンの少なくとも一つのパイロットパターンに対応するパイロットリソースが使用されず、即ち現在の伝送時間ユニットでパイロット信号を伝送する必要がないことを示す。例えば、端末装置の移動速度が低い場合、該複数のパイロットパターンにゼロパイロットパターンが含まれてもよい。例えば、４つのパイロットパターンにおいて、パイロットパターン２が１つのＯＦＤＭ信号を占有し、パイロットパターン３が２つのＯＦＤＭ信号を占有し、パイロットパターン４が３つのＯＦＤＭ信号を占有し、パイロットパターン１が０つのＯＦＤＭ信号を占有し、ここで、パイロットパターン１がゼロパイロットパターンである。
【０１０８】
したがって、本発明の実施例によるパイロット信号伝送方法では、端末装置は複数のパイロットパターンにおいて、第一のパイロットパターンを確定し、そして該第一のパイロットパターンに基づいてパイロット信号を伝送するための時間周波数リソースを確定することができ、それによってパイロットの密度及び占有された物理リソースを柔軟に調整することができる。
【０１０９】
当業者が本発明の技術的解決策を容易に理解するために、以下にＤＭＲＳパイロット信号とＣＳＩ−ＲＳパイロット信号を組み合わせて発明の実施例を例として説明する。理解すべきものとして、これは本発明に対する制限を構成するものではない。
【０１１０】
例えば、ダウンリンクＤＭＲＳに対して、図３に示すように、具体的に以下のステップを含む：
Ｓ３０１において、端末装置３０とネットワーク側装置３１はダウンリンクＤＭＲＳのための複数のパイロットパターンを定める。
【０１１１】
端末装置３０とネットワーク側装置３１によって定められたパイロットパターンはそれぞれパイロットパターン１、パイロットパターン２、パイロットパターン３とパイロットパターン４であり、ここでパイロットパターン１にいかなるパイロットＲＥがなく、パイロットパターン２−４におけるパイロット信号がそれぞれ１、２、３つのＯＦＤＭシンボルを占有し、パイロットパターン１がパイロット信号を伝送する必要がない。
【０１１２】
選択可能に、Ｓ３０２において、ネットワーク側装置３１は端末装置のためのパイロットパターンを確定する。
【０１１３】
ネットワーク側装置３１は現在のチャネルの変化状況に応じて、端末装置３０に適するＤＭＲＳパイロットパターンを選択することができる。例えば、チャネルが速く変化する場合、多くのＯＦＤＭシンボルを占有するパイロットパターンを選択し、チャネルが遅く変化する場合、少ないＯＦＤＭシンボルを占有するパイロットパターンを選択する。
【０１１４】
Ｓ３０３において、端末装置３０は使用されるパイロットパターンを確定する。
【０１１５】
具体的には、端末装置３０は該複数のパイロットパターンにおいて適切なパイロットパターンを選択することができる。例えば、端末装置３０の現在の移動速度値、該ダウンリンクＤＭＲＳ信号と同一の時間領域リソース又は同一の周波数領域リソースで伝送されるデータのための伝送モード、該ダウンリンクＤＭＲＳ信号の基礎パラメータセット、該ダウンリンクＤＭＲＳ信号と同一の時間周波数リソース又は同一の周波数領域リソースで伝送されるデータのための基礎パラメータセットなどの情報を組み合わせて該パイロットパターンを確定する。
【０１１６】
選択可能に、Ｓ３０４において、ネットワーク側装置３１はダウンリンク制御シグナリングＤＣＩを送信する。
【０１１７】
選択可能に、ネットワーク側装置３１はダウンリンク制御シグナリング（ＤＣＩ）によって端末装置３０のダウンリンクデータ伝送をスケジューリングすることができる。且つ、該ＤＣＩにおいて端末装置３０のためのＤＭＲＳパイロットパターンを２ビットで示す。
【０１１８】
Ｓ３０５において、端末装置３０はダウンリンクＤＭＲＳのための物理リソースを確定する。
【０１１９】
端末装置３０はそれ自体に選択されたパイロットパターンに基づき、ダウンリンクＤＭＲＳのための物理リソースを確定することができる。選択可能に、該ＤＣＩを受信する場合、端末装置３０は該ＤＣＩによって示されたＤＭＲＳパイロットパターンに基づいてダウンリンクＤＭＲＳのための物理リソースを確定することもできる。
【０１２０】
Ｓ３０６において、端末装置３０はダウンリンクＤＭＲＳを伝送する。
【０１２１】
端末装置３０は該物理リソースで、ダウンリンクデータを復調するためのダウンリンクＤＭＲＳを受信し、該受信されたダウンリンクＤＭＲＳに基づいてダウンリンクチャネル推定を行い、それによって該ダウンリンクデータの復調に用いる。ここで、ネットワーク側装置３１から端末装置３０に伝送されたダウンリンクデータ及びダウンリンクＤＭＲＳ信号が同一のサブフレームに位置する。
【０１２２】
したがって、本例では、端末装置３０はネットワーク側装置３１によって示されたパイロットパターンに基づき、ダウンリンクＤＭＲＳを伝送するための物理リソースを確定し、それによって該ダウンリンクＤＭＲＳを伝送することができる。
【０１２３】
また、アップリンクＤＭＲＳに対して、図４に示すように、具体的に以下のステップを含む：
Ｓ４０１において、端末装置４０とネットワーク側装置４１はアップリンクＤＭＲＳのパイロットパターンセットを定める。
【０１２４】
端末装置４０とネットワーク側装置４１はアップリンクＤＭＲＳに使用できるパイロットパターンセットを定めることができ、該パイロットパターンセットに４つのパイロットパターンが含まれ、該４つのパイロットパターンが異なるパイロットリソース密度を有する。
【０１２５】
Ｓ４０２において、ネットワーク側装置４１は端末装置４０のためのパイロットパターンサブセットを確定する。
【０１２６】
ネットワーク側装置４１はパイロットパターンセットにおいて、端末装置４０のためのパイロットパターンサブセットを確定することもでき、例えば該パイロットパターンサブセットにパイロットパターン２とパイロットパターン４が含まれる。ここで、ネットワーク側装置４１はチャネルの変化状況に応じて該パイロットパターンサブセットを確定することができる。例えば、チャネルが速く変化する場合、多くのＯＦＤＭシンボルを占有するパイロットパターンを選択し、チャネルが遅く変化する場合、少ないＯＦＤＭシンボルを占有するパイロットパターンを選択する。例えば、ネットワーク側装置４１はこの前のチャネル推定性能に応じて該パイロットパターンサブセットを調整することができる。
【０１２７】
Ｓ４０３において、ネットワーク側装置４１はＲＲＣシグナリングを送信する。
【０１２８】
ネットワーク側装置４１はＲＲＣシグナリングにより、確定されたパイロットパターンサブセットを端末装置４０に通知することができる。具体的な実施中、ネットワーク側装置４１は識別値ｂｉｔｍａｐの方法により、定められたパイロットパターンセットにおける現在の使用可能なパイロットパターンサブセットを端末装置４０に示し、端末装置４０がパイロットパターンサブセットにおいて適切なパイロットパターンを選択するようにすることができる。
【０１２９】
Ｓ４０４において、端末装置４０は使用されるパイロットパターンを確定する。
【０１３０】
具体的には、端末装置４０はそれ自体で該パイロットパターンサブセットにおいて適切なパイロットパターンを選択することができる。例えば、端末装置４０は現在の移動速度値、該アップリンクＤＭＲＳ信号と同一の時間領域リソース又は同一の周波数領域リソースで伝送されるデータのための伝送モード、該アップリンクＤＭＲＳ信号の基礎パラメータセット、該アップリンクＤＭＲＳ信号と同一の時間周波数リソース又は同一の周波数領域リソースで伝送されるデータのための基礎パラメータセットなどの情報を組み合わせて適切なパイロットパターンを選択する。例えば、端末装置４０は現在の移動速度推定値に基づいてパイロットパターンを選択し、移動速度推定値がＡより小さい場合、パイロットパターン２を選択し、移動速度推定値がＡ以上である場合、パイロットパターン４を選択する。
【０１３１】
選択可能に、端末装置４０は受信されたＲＲＣシグナリングにより、パイロットパターンサブセットにおいて適切なパイロットパターンを選択し、ここで、該ＲＲＣシグナリングが該パイロットパターンサブセットを示すことに用いられる。
【０１３２】
Ｓ４０５において、端末装置４０はアップリンクＤＭＲＳのための物理リソースを確定する。
【０１３３】
端末装置４０はそれ自体に選択されたパイロットパターンに基づき、アップリンクＤＭＲＳのための物理リソースを確定し、その後該物理リソースでアップリンクＤＭＲＳを伝送することができ、ここで、該アップリンクＤＭＲＳがアップリンクデータを復調することに用いられる。
【０１３４】
Ｓ４０６において、端末装置４０はアップリンクＤＭＲＳを伝送する。
【０１３５】
端末装置４０は該物理リソースで、アップリンクデータを復調するためのアップリンクＤＭＲＳを伝送する。ここで、ネットワーク側装置４１から端末装置４０に伝送されたダウンリンクデータ及びダウンリンクＤＭＲＳ信号が同一のサブフレームに位置する。
【０１３６】
Ｓ４０７において、端末装置４０はネットワーク側装置４１へアップリンクＤＭＲＳのパイロットパターンを示すための指示情報を送信する。
【０１３７】
端末装置４０はそれ自体でパイロットパターンサブセットにおいて選択されたアップリンクＤＭＲＳのパイロットパターンをアップリンクデータと共にネットワーク側装置４１にフィードバックする。
【０１３８】
Ｓ４０８において、ネットワーク側装置４１はアップリンクＤＭＲＳの物理リソースの位置を確定する。
【０１３９】
ネットワーク側装置４１は端末装置４０から送信された指示情報に基づき、アップリンクＤＭＲＳのパイロットパターンに対応する物理リソースに対応する位置を確定する。
【０１４０】
Ｓ４０９において、ネットワーク側装置４１はアップリンクＤＭＲＳを受信する。
【０１４１】
具体的には、ネットワーク側装置４１は確定されえた物理リソースに基づき、該物理リソースでアップリンクＤＭＲＳを受信し、その後該アップリンクＤＭＲＳに基づいてアップリンクチャネル推定を行い、そしてアップリンクチャネル推定の結果に基づいてアップリンクデータの復調を行う。
【０１４２】
したがって、本例では、端末装置４０はパイロットパターンサブセットにおいて適切なパイロットパターンを確定し、そして該パイロットパターンに基づいてアップリンクＤＭＲＳを伝送するための物理リソースを確定し、それによって該アップリンクＤＭＲＳを伝送することができる。
【０１４３】
例えば、ＣＳＩ−ＲＳに対して、図５に示すように、具体的に以下のステップを含む：
Ｓ５０１において、端末装置５０とネットワーク側装置５１はＣＳＩ−ＲＳのパイロットパターンセットを定める。
【０１４４】
例えば、該パイロットパターンセットにＮつのパイロットパターンが含まれる。選択可能に、プロトコルにおいて該パイロットパターンセットを定義することができる。
【０１４５】
Ｓ５０２において、端末装置５０はＣＳＩ−ＲＳを伝送するためのパイロットパターンサブセットを確定する。
【０１４６】
具体的には、端末装置５０は現在の使用されている基礎パラメータセットに基づき、Ｎつのパイロットパターンにおいて基礎パラメータセットに対応するパイロットパターンサブセットを確定することができる。例えば、該パイロットパターンサブセットにＭつのパイロットパターンが含まれ、該ＭがＮ以下である。ここで、基礎パラメータセットはネットワーク側装置５１が他のシグナリングによって端末装置５０に割り当てるものであってもよい。
【０１４７】
選択可能に、Ｓ５０３において、ネットワーク側装置５１はＣＳＩ−ＲＳを伝送するためのパイロットパターンサブセットを確定することもできる。
【０１４８】
Ｓ５０４において、端末装置５０はＣＳＩ−ＲＳのパイロットパターンサブセットにおいてＣＳＩ−ＲＳを伝送するためのパイロットパターンを確定する。
【０１４９】
端末装置５０は基礎パラメータセットとパイロットパターンサブセットにおけるパイロットパターンとの対応関係に応じて、ＣＳＩ−ＲＳを伝送するためのパイロットパターンを確定することができる。ここで、基礎パラメータセットとパイロットパターンとの対応関係はネットワーク側装置５１と端末装置５０によって予め定められてもよく、例えば、プロトコルにおいて該対応関係を定義しておる。
【０１５０】
選択可能に、Ｓ５０５において、ネットワーク側装置５１はＣＳＩ−ＲＳを伝送するためのパイロットパターンを確定することもできる。
【０１５１】
選択可能に、Ｓ５０６において、ネットワーク側装置５１はＲＲＣシグナリングを送信する。
【０１５２】
ネットワーク側装置５１は端末装置５０に送信されたＲＲＣシグナリングにより、端末装置５０のためのＣＳＩ−ＲＳのパイロットパターンを示す。ここで、該ＲＲＣシグナリングがｌｏｇ２（Ｍ）（切り上げ）つのビットを含む。
【０１５３】
Ｓ５０７において、端末装置５０はＣＳＩ−ＲＳを伝送するためのパイロットパターンに基づき、ＣＳＩ−ＲＳを伝送するための物理リソースを確定する。
【０１５４】
端末装置５０はＲＲＣシグナリングによって示されたＣＳＩ−ＲＳのパイロットパターンに基づき、ＣＳＩ−ＲＳを伝送するための後の物理リソースを確定することができる。又は、端末装置５０はそれ自体で選択されたパイロットパターンに基づき、ＣＳＩ−ＲＳを伝送するための後の物理リソースを確定することもできる。
【０１５５】
Ｓ５０８において、端末装置５０は物理リソースでＣＳＩ−ＲＳを受信する。
【０１５６】
端末装置５０は確定された物理リソースに基づき、該物理リソースで後のＣＳＩ−ＲＳの受信を行い、そして受信されたＣＳＩ−ＲＳに基づいてダウンリンクＣＳＩの測定を行う。
【０１５７】
したがって、本例では、端末装置５０はパイロットパターンサブセットにおいて適切なパイロットパターンを確定し、そして該パイロットパターンに基づいてＣＳＩ−ＲＳを伝送するための物理リソースを確定し、それによって該アップリンクＣＳＩ−ＲＳを受信することができる。
【０１５８】
理解すべきものとして、図３〜図５は本発明の技術的解決策を容易に理解するためものに過ぎず、本発明に対する制限を構成するものではない。
【０１５９】
また、本発明の様々な実施例では、上記各プロセスの番号の大きさが実行順序を意味せず、各プロセスの実行順序はその機能と内部ロジックによって確定されるべきであり、本発明の実施例の実施プロセスのいかなる限定を構成するものではないと理解すべきである。
【０１６０】
以上に端末装置から本発明の実施例によるパイロット信号伝送方法を説明し、以下にネットワーク側装置から本発明の実施例によるパイロット信号伝送方法を説明する。
【０１６１】
図６は本発明の実施例によるパイロット信号伝送方法６００の概略フローチャートである。該方法６００はネットワーク側装置によって実行される。例えば、該ネットワーク側装置は図１における基地局２１であってもよい。図６に示すように、該方法６００は、Ｓ６１０〜Ｓ６３０を含む。
【０１６２】
Ｓ６１０において、ネットワーク側装置は複数のパイロットパターンにおいて、第一のパイロットパターンを確定する。
【０１６３】
Ｓ６２０において、該ネットワーク側装置は該第一のパイロットパターンに基づき、該パイロット信号を伝送するための時間周波数リソースを確定する。
【０１６４】
Ｓ６３０において、該ネットワーク側装置は該時間周波数リソースで該パイロット信号を送信又は受信する。
【０１６５】
本発明の実施例では、ネットワーク側装置は複数のパイロットパターンにおいて、第一のパイロットパターンを確定し、その後該第一のパイロットパターンに基づき、該パイロット信号を伝送するための時間周波数リソースを確定し、そして該時間周波数リソースで該パイロット信号を送信又は受信することができ、パイロット密度と物理リソースを柔軟に調整し、パイロットオーバーヘッドを削減することができる。
【０１６６】
簡潔にするために、ネットワーク側装置と端末装置におけるいくつかの類似の用語概念又は実行動作について詳細に説明しない。
【０１６７】
選択可能に、該複数のパイロットパターンは異なるパイロットリソース密度を有し、ここで、該パイロットリソース密度が時間領域リソース密度及び／又は周波数領域リソース密度を含む。
【０１６８】
選択可能に、一つの実施例として、該ネットワーク側装置が複数のパイロットパターンにおいて、第一のパイロットパターンを確定することは、
該ネットワーク側装置が、
該パイロット信号と同一の時間領域リソース又は同一の周波数領域リソースで伝送されるデータのための伝送モード情報、
該端末装置の移動速度推定値情報、
該パイロット信号を伝送するための、又は該パイロット信号と同一の時間領域リソース又は同一の周波数領域リソースで伝送されるデータの基礎パラメータセット情報、
のうちの少なくとも一つの情報に基づき、該複数のパイロットパターンにおいて、該第一のパイロットパターンを確定することを含む。
【０１６９】
選択可能に、一つの実施例として、Ｓ６１０の後、該方法６００はさらに、
該ネットワーク側装置が端末装置へ第一のダウンリンク制御情報（ＤＣＩ）によって示されたパイロットパターン配置情報を送信し、ここで、該第一のＤＣＩが該パイロット信号と同一の時間領域リソース又は同一の周波数領域リソースで伝送されるデータをスケジューリングするためのＤＣＩであり、該パイロットパターン配置情報が第一のパイロットパターンを示すことに用いられることを含む。
【０１７０】
選択可能に、一つの実施例として、該方法６００はさらに、
該ネットワーク側装置が該端末装置から送信された該移動速度推定値情報を受信することを含み、
ここで、Ｓ６１０は、
該ネットワーク側装置が該移動速度推定値情報に基づき、該複数のパイロットパターンにおいて、該第一のパイロットを確定することを含む。
【０１７１】
具体的には、ネットワーク側装置は端末装置から報告された移動速度推定値に基づき、該第一のパイロットパターンを確定することができる。
【０１７２】
選択可能に、一つの実施例として、該方法６００はさらに、
該ネットワーク側装置が端末装置から報告された該第一のパイロットパターンの情報を受信する。
【０１７３】
具体的には、ネットワーク側装置は受信された第一のパイロットパターンの情報に基づき、パイロット信号のリソース位置を確定し、それによって該パイロット信号に基づいてチャネル推定を行うことができる。
【０１７４】
選択可能に、一つの実施例として、該複数のパイロットパターンはゼロパイロットパターンを含み、該ゼロパイロットパターンが前記パイロット信号を伝送するための時間周波数リソースがないことを示す。
【０１７５】
選択可能に、一つの実施例として、該方法６００はさらに、
該ネットワーク側装置が端末装置へ該複数のパイロットパターンを示すための指示情報を送信することを含む。
【０１７６】
選択可能に、該第一のパイロットパターンは該パイロット信号を伝送するためのリソースユニット（ＲＥ）を示す。
【０１７７】
したがって、本発明の実施例によるパイロット信号伝送方法では、ネットワーク側装置はチャネル状態又は他の伝送パラメータに基づき、複数のパイロットパターンにおいて第一のパイロットパターンを確定しそれによってパイロットの密度及び占有された物理リソースを柔軟に調整することができる。
【０１７８】
以上に本発明の実施例によるパイロット信号伝送方法を詳細に説明し、以下に本発明の実施例による端末装置とネットワーク側装置を説明する。
【０１７９】
図７は本発明の実施例による端末装置７００の概略ブロック図である。図７に示すように、該端末装置７００は確定モジュール７１０と伝送モジュール７２０を備える。
【０１８０】
確定モジュール７１０は複数のパイロットパターンにおいて、第一のパイロットパターンを確定するように構成される。
【０１８１】
該確定モジュール７１０はさらに該第一のパイロットパターンに基づき、該パイロット信号を伝送するための時間周波数リソースを確定するように構成される。
【０１８２】
伝送モジュール７２０は該確定モジュールによって確定された該時間周波数リソースで該パイロット信号を送信又は受信するように構成される。
【０１８３】
本発明の実施例では、端末装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【０１８４】
選択可能に、該複数のパイロットパターンは異なるパイロットリソース密度を有し、ここで、該パイロットリソース密度が時間領域リソース密度及び／又は周波数領域リソース密度を含む。
【０１８５】
選択可能に、一つの実施例として、該確定モジュール７１０は具体的に、
ネットワーク側装置から送信されたパイロットパターン配置情報、
該パイロット信号と同一の時間領域リソース又は同一の周波数領域リソースで伝送されるデータのための伝送モード情報、
該端末装置の移動速度推定値情報、
該パイロット信号を伝送するための、又は該パイロット信号と同一の時間領域リソース又は同一の周波数領域リソースで伝送されるデータの基礎パラメータセット情報、
のうちの少なくとも一つの情報に基づき、該複数のパイロットパターンにおいて、該第一のパイロットパターンを確定するように構成される。
【０１８６】
選択可能に、一つの実施例として、該端末装置はさらに、
ネットワーク側装置から送信された、第一のダウンリンク制御情報（ＤＣＩ）によって示されたパイロットパターン配置情報を受信するように構成され、ここで、該第一のＤＣＩが該パイロット信号と同一の時間領域リソース又は同一の周波数領域リソースで伝送されるデータをスケジューリングするためのＤＣＩである受信モジュールを備え、
ここで、該確定モジュール７１０は具体的に、
該第一のＤＣＩによって示された該パイロットパターン配置情報に基づき、複数のパイロットパターンにおいて該第一のパイロットパターンを確定するように構成される。
【０１８７】
選択可能に、一つの実施例として、該伝送モジュール７２０はさらに、
該移動速度推定値情報を該ネットワーク側装置に報告するように構成され、該移動速度推定値情報が該パイロットパターン配置情報を確定するために該ネットワーク側装置によって使用される。
【０１８８】
選択可能に、一つの実施例として、該基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含む。
【０１８９】
選択可能に、一つの実施例として、該伝送モジュール７２０はさらに、
該第一のパイロットパターンの情報をネットワーク側装置に報告するように構成される。
【０１９０】
選択可能に、一つの実施例として、該複数のパイロットパターンは
ゼロパイロットパターンを含み、該ゼロパイロットパターンが前記パイロット信号を伝送するための時間周波数リソースがないことを示す。
【０１９１】
選択可能に、一つの実施例として、該伝送モジュール７２０はさらに、
該ネットワーク装置から送信された、該複数のパイロットパターンを示すための指示情報を受信するように構成される。
【０１９２】
本発明の実施例では、パイロットパターンは該パイロット信号を伝送するためのリソースユニット（ＲＥ）を示す。
【０１９３】
本発明の実施例による端末装置７００は本発明の実施例によるパイロット信号伝送方法２００を実行することができ、そして該端末装置７００における各モジュールの上記と他の操作及び／又は機能はそれぞれ上記各方法の対応するプロセスを実現するためのものであり、簡潔にするために、ここで説明を省略する。
【０１９４】
したがって、本発明の実施例による端末装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【０１９５】
以上に図７を組み合わせて本発明の実施例による端末装置を説明し、以下に図８を組み合わせて本発明の実施例によるネットワーク側装置を説明する。
【０１９６】
図８は本発明の実施例によるネットワーク側装置８００の概略ブロック図である。図８に示すように、該ネットワーク側装置８００は確定モジュール８１０と伝送モジュール８２０を備える。
【０１９７】
確定モジュール８１０は複数のパイロットパターンにおいて、第一のパイロットパターンを確定するように構成される。
【０１９８】
該確定モジュール８１０はさらに該第一のパイロットパターンに基づき、該パイロット信号を伝送するための時間周波数リソースを確定するように構成される。
【０１９９】
伝送モジュール８２０は該時間周波数リソースで該パイロット信号を送信又は受信するように構成される。
【０２００】
本発明の実施例によるネットワーク側装置は複数のパイロットパターンにおいて、第一のパイロットパターンを確定し、そして該第一のパイロットパターンに基づいてパイロット信号を確定するための時間周波数リソースを確定することができ、パイロットの密度及び占有された物理リソースを柔軟に調整することができる。
【０２０１】
選択可能に、該複数のパイロットパターンは異なるパイロットリソース密度を有し、ここで、該パイロットリソース密度が時間領域リソース密度及び／又は周波数領域リソース密度を含む。
【０２０２】
選択可能に、一つの実施例として、該確定モジュール８１０は具体的に、
該パイロット信号と同一の時間領域リソース又は同一の周波数領域リソースで伝送されるデータのための伝送モード情報、
端末装置の移動速度推定値情報、
該パイロット信号を伝送するための、又は該パイロット信号と同一の時間領域リソース又は同一の周波数領域リソースで伝送されるデータの基礎パラメータセット情報、
のうちの少なくとも一つの情報に基づき、該複数のパイロットパターンにおいて、該第一のパイロットパターンを確定するように構成される。
【０２０３】
選択可能に、一つの実施例として、該伝送モジュール８２０はさらに、
端末装置へ第一のダウンリンク制御情報（ＤＣＩ）によって示されたパイロットパターン配置情報を送信するように構成され、ここで、該第一のＤＣＩが該パイロット信号と同一の時間領域リソース又は同一の周波数領域リソースで伝送されるデータをスケジューリングするためのＤＣＩであり、前記パイロットパターン配置情報が該第一のパイロットパターンを示すことに用いられる。
【０２０４】
選択可能に、一つの実施例として、該伝送モジュール８２０はさらに、
該端末装置から送信された該移動速度推定値情報を受信するように構成され、
ここで、該確定モジュール８１０は該移動速度推定値情報に基づき、該複数のパイロットパターンにおいて該第一のパイロットパターンを確定するように構成される。
【０２０５】
選択可能に、一つの実施例として、該伝送モジュール８２０はさらに、
該ネットワーク側装置が端末装置から報告された該第一のパイロットパターンの情報を受信するように構成される。
【０２０６】
選択可能に、一つの実施例として、該複数のパイロットパターンはゼロパイロットパターンを含み、該ゼロパイロットパターンが前記パイロット信号を伝送するための時間領域リソースがないことを示す。
【０２０７】
選択可能に、一つの実施例として、該伝送モジュール８２０はさらに、
端末装置へ該複数のパイロットパターンを示すための指示情報を送信するように構成される。
【０２０８】
選択可能に、該第一のパイロットパターンは該パイロット信号を伝送するためのリソースユニット（ＲＥ）を示す。
【０２０９】
本発明の実施例によるネットワーク側装置８００は本発明の実施例によるパイロット信号伝送方法６００を実行することができ、そして該ネットワーク側装置８００における各モジュールの上記と他の操作及び／又は機能はそれぞれ上記各方法の対応するプロセスを実現するものであり、簡潔にするために、ここで説明を省略する。
【０２１０】
したがって、本発明の実施例によるネットワーク側装置は複数のパイロットパターンにおいて、第一のパイロットパターンを確定し、そして該第一のパイロットパターンに基づいてパイロット信号を伝送するための時間周波数リソースを確定することができ、パイロットの密度及び占有された物理リソースを柔軟に調整することができる。
【０２１１】
図９は本発明の他の実施例による端末装置の構造図である。該端末装置は少なくとも一つのプロセッサ９０２（例えばＣＰＵ）、少なくとも一つのネットワークインタフェース９０５又は他の通信インタフェース、メモリ９０６、及びこれらの装置の間の接続通信を実現するための少なくとも一つの通信バス９０３を備える。プロセッサ９０２はメモリ９０６に記憶された実行可能モジュール、例えばコンピュータプログラムを実行することに用いられる。メモリ９０６は高速ランダムアクセスメモリ（ＲＡＭ：Ｒａｎｄｏｍ  Ａｃｃｅｓｓ  Ｍｅｍｏｒｙ）を含む可能性があり、さらに不揮発性メモリ（ｎｏｎ−ｖｏｌａｔｉｌｅ  ｍｅｍｏｒｙ）、例えば少なくとも一つの磁気ディスクスメモリを含む可能性もある。少なくとも一つのネットワークインタフェース９０５（有線又は無線であってもよい）によって少なくとも一つの他のネットワーク要素との通信接続を実現する。
【０２１２】
いくつかの実施形態では、メモリ９０６はプログラム９０６１を記憶しており、プロセッサ９０２は上述した本発明の実施例によるパイロット信号を伝送する端末装置側の方法を実行するためのプログラム９０６１を実行し、簡潔にするためにここで説明を省略する。
【０２１３】
図１０に本発明の又の実施例によるネットワーク側装置の構造が示され、少なくとも一つのプロセッサ１００２（例えばＣＰＵ）、少なくとも一つのネットワークインタフェース１００５又は他の通信インタフェース、メモリ１００６、及びこれらの装置の間の接続通信を実現するための少なくとも一つの通信バス１００３を備える。プロセッサ１００２はメモリ１００６に記憶された実行可能モジュール、例えばコンピュータプログラムを実行することに用いられる。メモリ１００６は高速ランダムアクセスメモリ（ＲＡＭ：Ｒａｎｄｏｍ  Ａｃｃｅｓｓ  Ｍｅｍｏｒｙ）を含む可能性があり、さらに不揮発性メモリ（ｎｏｎ−ｖｏｌａｔｉｌｅ  ｍｅｍｏｒｙ）、例えば少なくとも一つの磁気ディスクスメモリを含む可能性もある。少なくとも一つのネットワークインタフェース１００５（有線又は無線であってもよい）によって少なくとも一つの他のネットワーク要素との通信接続を実現する。
【０２１４】
いくつかの実施例では、メモリ１００６はプログラム１００６１を記憶しており、プロセッサ１００２は上述した本発明の実施例によるパイロット信号を伝送するネットワーク側の方法を実行するためのプログラム１００６１を実行し、簡潔にするためにここで説明を省略する。
【０２１５】
理解すべきものとして、本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す
本発明の各方法の実施例では、上記各プロセスの番号の大きさが実行順序を意味せず、各プロセスの実行順序はその機能と内部ロジックによって確定されるべきであり、本発明の実施例の実施プロセスのいかなる限定を構成するものではないと理解すべきである。
【０２１６】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本出願の範囲を超えていると考えられるべきではない。
【０２１７】
当業者は便利且つ簡潔に説明するために、上述したシステム、装置とユニットの具体的な動作プロセスについて上記方法の実施例における対応するプロセスを参照できることを明確に理解でき、ここでは説明を省略する。
【０２１８】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得て、例えば複数のユニット又は部材は組み合わせられてもよい、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２１９】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２２０】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。
【０２２１】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２２】
以上は、本発明の具体的な実施形態に過ぎず、本発明の保護範囲はこれに制限されず、当業者が本発明に開示された技術範囲内で容易に想到し得る変化又は入れ替わりが全て本発明の保護範囲内に含まれるべきである。したがって、本発明の保護範囲は特許請求の範囲によって準拠するべきである。
【図１】
2019527968.tif 000006
【図２】
2019527968.tif 000007
【図３】
2019527968.tif 000008
【図４】
2019527968.tif 000009
【図５】
2019527968.tif 000010
【図６】
2019527968.tif 000011
【図７】
2019527968.tif 000012
【図８】
2019527968.tif 000013
【図９】
2019527968.tif 000014
【図１０】
2019527968.tif 000015
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
パイロット信号伝送方法であって、
端末装置が複数のパイロットパターンにおいて、第一のパイロットパターンを確定することと、
前記端末装置が前記第一のパイロットパターンに基づき、前記パイロット信号を伝送するための時間周波数リソースを確定することと、
前記端末装置が前記時間周波数リソースで前記パイロット信号を送信又は受信することとを含む、前記パイロット信号伝送方法。
【請求項２】
前記複数のパイロットパターンは異なるパイロットリソース密度を有し、ここで、前記パイロットリソース密度が時間領域リソース密度及び／又は周波数領域リソース密度を含むことを特徴とする
請求項１に記載の方法。
【請求項３】
前記端末装置が複数のパイロットパターンにおいて、第一のパイロットパターンを確定することは、
前記端末装置が、
ネットワーク側装置から送信されたパイロットパターン配置情報、
前記パイロット信号と同一の時間領域リソース又は同一の周波数領域リソースで伝送されるデータのための伝送モード情報、
前記端末装置の移動速度推定値情報、
前記パイロット信号を伝送するための、又は前記パイロット信号と同一の時間領域リソース又は同一の周波数領域リソースで伝送されるデータの、基礎パラメータセット情報、  のうちの少なくとも一つの情報に基づき、前記複数のパイロットパターンにおいて、前記第一のパイロットパターンを確定することを含むことを特徴とする
請求項１又は２に記載の方法。
【請求項４】
前記方法はさらに、
前記端末装置がネットワーク側装置から送信された、第一のダウンリンク制御情報（ＤＣＩ）によって示されたパイロットパターン配置情報を受信することを含み、ここで、前記第一のＤＣＩが前記パイロット信号と同一の時間領域リソース又は同一の周波数領域リソースで伝送されるデータをスケジューリングするためのＤＣＩであり、
ここで、端末装置が複数のパイロットパターンにおいて、第一のパイロットパターンを確定することは、
前記端末装置が前記第一のＤＣＩによって示された前記パイロットパターン配置情報に基づき、複数のパイロットパターンにおいて前記第一のパイロットパターンを確定することを含むことを特徴とする
請求項１乃至３のいずれか一項に記載の方法。
【請求項５】
前記端末装置が前記第一のＤＣＩによって示された前記パイロットパターン配置情報に基づき、複数のパイロットパターンにおいて第一のパイロットパターンを確定する前に、前記方法はさらに、
前記端末装置が前記移動速度推定値情報を前記ネットワーク側装置に報告し、ここで、前記移動速度推定値情報が前記パイロットパターン配置情報を確定するために前記ネットワーク側装置によって使用されることを特徴とする
請求項４に記載の方法。
【請求項６】
前記基礎パラメータセット情報は、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボルの数、所定時間長さ内に含まれるＴＴＩの数と信号プレフィックスの長さのうちの少なくとも一つを含むことを特徴とする
請求項３に記載の方法。
【請求項７】
前記端末装置が複数のパイロットパターンにおいて、第一のパイロットパターンを確定した後、前記方法はさらに、
前記端末装置が前記第一のパイロットパターンの情報をネットワーク側装置に報告することを含むことを特徴とする
請求項１乃至６のいずれか一項に記載の方法。
【請求項８】
前記複数のパイロットパターンがゼロパイロットパターンを含み、前記ゼロパイロットパターンが前記パイロット信号を伝送するための時間周波数リソースがないことを示すことを特徴とする
請求項１乃至７のいずれか一項に記載の方法。
【請求項９】
前記端末装置が複数のパイロットパターンにおいて、第一のパイロットパターンを確定する前に、前記方法はさらに、
前記端末装置が前記ネットワーク装置から送信された、前記複数のパイロットパターンを示すための指示情報を受信することを含むことを特徴とする
請求項１乃至８のいずれか一項に記載の方法。
【請求項１０】
パイロット信号伝送方法であって、
ネットワーク側装置が複数のパイロットパターンにおいて、第一のパイロットパターンを確定することと、
前記ネットワーク側装置が前記第一のパイロットパターンに基づき、前記パイロット信号を伝送するための時間周波数リソースを確定することと、
前記ネットワーク側装置が前記時間周波数リソースで前記パイロット信号を送信又は受信することとを含む、前記パイロット信号伝送方法。
【請求項１１】
前記複数のパイロットパターンは異なるパイロットリソース密度を有し、ここで、前記パイロットリソース密度が時間領域リソース密度及び／又は周波数領域リソース密度を含むことを特徴とする
請求項１０に記載の方法。
【請求項１２】
前記ネットワーク側装置が複数のパイロットパターンにおいて、第一のパイロットパターンを確定することは、
前記ネットワーク側装置が、
前記パイロット信号と同一の時間領域リソース又は同一の周波数領域リソースで伝送されるデータのための伝送モード情報、
端末装置により送信される移動速度推定値情報、
前記パイロット信号を伝送するための、又は前記パイロット信号と同一の時間領域リソース又は同一の周波数領域リソースで伝送されるデータの、基礎パラメータセット情報、  のうちの少なくとも一つの情報に基づき、前記複数のパイロットパターンにおいて、前記第一のパイロットパターンを確定することを含むことを特徴とする
請求項１０又は１１に記載の方法。
【請求項１３】
端末装置であって、
プロセッサと、
前記プロセッサによって実行されると、前記プロセッサが請求項１乃至９のいずれか一項に記載の方法を実行するプログラムが記憶されるメモリと、を含む、前記端末装置。
【請求項１４】
ネットワーク側装置であって、
プロセッサと、
前記プロセッサによって実行されると、前記プロセッサが請求項１０乃至１２のいずれか一項に記載の方法を実行するプログラムが記憶されるメモリと、を含む、前記ネットワーク側装置。
【請求項１５】
コンピュータ読み取り可能な記憶媒体であって、
プロセッサによって実行される時に、前記プロセッサが請求項１乃至１２のいずれか一項に記載の方法を実行するプログラムが記憶される、
前記コンピュータ読み取り可能な記憶媒体。
【国際調査報告】
2019527968.tif 000016
2019527968.tif 000017
2019527968.tif 000018
2019527968.tif 000019
2019527968.tif 000020
2019527968.tif 000021
2019527968.tif 000022